【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
創傷に陰圧を加える装置であって、
ハウジングと、
前記ハウジング内に位置付けられ、流体流路を介して創傷被覆材に陰圧を提供するように構成される陰圧源と、
前記ハウジング内に位置付けられた通信ボードであって、遠隔電子装置からデータを送信および受信するように構成されたコントローラを含む、通信ボードと、
前記ハウジング内に位置付けられ、前記通信ボードに機械的に取り付けられ、前記通信ボードに電気的に接続されたアンテナ基板であって、前記アンテナ基板が前記コントローラに電気的に連結されたアンテナを含み、前記アンテナが前記コントローラのための信号を無線で送信および受信するように構成され、前記アンテナ基板上に位置する導電領域および前記通信ボード上に位置する接地領域を含む、アンテナ基板と、
を備える
装置。
【請求項２】
前記導電領域が導電性トレースを含み、前記接地領域が接地面を含む、請求項１に記載の装置。
【請求項３】
前記アンテナの前記接地面が、前記通信ボードの接地面に接続される、請求項２に記載の装置。
【請求項４】
前記アンテナの前記接地面が、シャントを介して前記通信ボードの前記接地面に電気的に接続される、請求項３に記載の装置。
【請求項５】
前記接地トレースが、第一の部分および第二の部分と、に分けられ、前記第一の部分が前記シャントに電気的に接続され、前記第一の部分の長さが前記アンテナの第一の帯域幅を制御する、請求項４に記載の装置。
【請求項６】
前記第二の部分の長さが前記アンテナの第二の帯域幅を制御し、前記第二の帯域幅が前記第一の帯域幅とは異なる、請求項５に記載の装置。
【請求項７】
前記導電性トレースが、高帯域および狭帯域における信号を受信および送信するように構成された第一および第二の導電性トレース部分を含む、請求項２〜６のいずれか一項に記載の装置。
【請求項８】
前記高帯域に関連付けられた前記第一の導電性トレース部分が、前記狭帯域と関連付けられた前記第二の導電性トレース部分よりも大きな表面積を有する、請求項７に記載の装置。
【請求項９】
前記アンテナ基板が、前記通信ボード上の単一のアンテナコネクタを介して前記通信ボードに電気的に接続され、任意で、前記通信ボード上の前記アンテナコネクタが、前記アンテナ基板の穴を介して前記アンテナ基板に電気的に接続される突出部を備える、請求項１〜８のいずれか一項に記載の装置。
【請求項１０】
前記アンテナコネクタが、信号フィードおよび接地のための接続を提供する、請求項９に記載の装置。
【請求項１１】
前記アンテナ基板がプリント回路基板である、請求項１〜１０のいずれか一項に記載の装置。
【請求項１２】
前記アンテナが板状逆Ｆアンテナである、請求項１〜１１のいずれか一項に記載の装置。
【請求項１３】
前記アンテナがデュアルバンドセルラーアンテナである、請求項１〜１２のいずれか一項に記載の装置。
【請求項１４】
前記アンテナ基板が、前記導電領域が前記通信ボードに面しないように位置付けられる、請求項１〜１３のいずれか一項に記載の装置。
【請求項１５】
前記創傷から除去された少なくとも一部の流体を貯蔵するように構成されたキャニスターをさらに備え、前記アンテナ基板が、前記導電領域が前記キャニスターに面するように位置付けられる、請求項１〜１４のいずれか一項に記載の装置。
【手続補正２】
【補正対象書類名】明細書
【補正対象項目名】００６８
【補正方法】変更
【補正の内容】
【００６８】
本開示の範囲は、本節におけるまたは本明細書の他の箇所における好ましい実施形態の特定の開示によって制限されることを意図するものではなく、本節においてまたは本明細書の他の箇所において提示されているか、またはこの後に提示される特許請求の範囲によって定義されうる。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
［付記項１］
創傷に陰圧を加える装置であって、
ハウジングと、
前記ハウジング内に位置付けられ、流体流路を介して創傷被覆材に陰圧を提供するように構成される陰圧源と、
前記ハウジング内に位置付けられた通信ボードであって、遠隔電子装置からデータを送信および受信するように構成されたコントローラを含む、通信ボードと、
前記ハウジング内に位置付けられ、前記通信ボードに機械的に取り付けられ、前記通信ボードに電気的に接続されたアンテナ基板であって、前記アンテナ基板が前記コントローラに電気的に連結されたアンテナを含み、前記アンテナが前記コントローラのための信号を無線で送信および受信するように構成され、前記アンテナ基板上に位置する導電領域および前記通信ボード上に位置する接地領域を含む、アンテナ基板と、
を備える
装置。
［付記項２］
前記導電領域が導電性トレースを含み、前記接地領域が接地面を含む、付記項１に記載の装置。
［付記項３］
前記アンテナの前記接地面が、前記通信ボードの接地面に接続される、付記項２に記載の装置。
［付記項４］
前記アンテナの前記接地面が、シャントを介して前記通信ボードの前記接地面に電気的に接続される、付記項３に記載の装置。
［付記項５］
前記接地トレースが、第一の部分および第二の部分と、に分けられ、前記第一の部分が前記シャントに電気的に接続され、前記第一の部分の長さが前記アンテナの第一の帯域幅を制御する、付記項４に記載の装置。
［付記項６］
前記第二の部分の長さが前記アンテナの第二の帯域幅を制御し、前記第二の帯域幅が前記第一の帯域幅とは異なる、付記項５に記載の装置。
［付記項７］
前記導電性トレースが、高帯域および狭帯域における信号を受信および送信するように構成された第一および第二の導電性トレース部分を含む、付記項２〜６のいずれか一項以上に記載の装置。
［付記項８］
前記高帯域に関連付けられた前記第一の導電性トレース部分が、前記狭帯域と関連付けられた前記第二の導電性トレース部分よりも大きな表面積を有する、付記項７に記載の装置。
［付記項９］
前記アンテナ基板が、前記通信ボード上の単一のアンテナコネクタを介して前記通信ボードに電気的に接続される、付記項１〜８のいずれか一項以上に記載の装置。
［付記項１０］
前記通信ボード上の前記アンテナコネクタが、前記アンテナ基板の穴を介して前記アンテナ基板に電気的に接続される突出部を備える、付記項９に記載の装置。
［付記項１１］
前記アンテナコネクタが、信号フィードおよび接地のための接続を提供する、付記項９〜１０のいずれか一項以上に記載の装置。
［付記項１２］
前記アンテナ基板がプリント回路基板である、付記項１〜１１のいずれか一項以上に記載の装置。
［付記項１３］
前記アンテナが板状逆Ｆアンテナである、付記項１〜１２のいずれか一項以上に記載の装置。
［付記項１４］
前記アンテナがデュアルバンドセルラーアンテナである、付記項１〜１３のいずれか一項以上に記載の装置。
［付記項１５］
前記アンテナ基板が、前記導電領域が前記通信ボードに面しないように位置付けられる、付記項１〜１４のいずれか一項以上に記載の装置。
［付記項１６］
前記創傷から除去された少なくとも一部の流体を貯蔵するように構成されたキャニスターをさらに備え、前記アンテナ基板が、前記導電領域が前記キャニスターに面するように位置付けられる、付記項１〜１５のいずれか一項以上に記載の装置。
［付記項１７］
付記項１〜１６のいずれか一項以上に記載の装置を動作させる、使用する、または製造する方法。